(57)【要約】  本発明は、印刷方法及びこの印刷方法により製造された印刷品を提供し、当該印刷方法は、S1：印刷する画像の立体模型を作製するステップ、S2：貼ってはがせる糊により、薄膜をフィルムに張り合わせるステップ、S3：コダック式印刷により、前記画像の立体模型を前記薄膜の内側表面に印刷するステップ、S4：水性のりを用いて、弾性材料と前記薄膜を張り合わせるステップ、S5：印刷後の薄膜を、真空成形機を用いて、立体形状にするステップ、S6：前記弾性材料に定形用のシリカゲルを添加するステップ、を含む。当該印刷品は、内側表面に画像の立体模型が印刷された薄膜、水性のりにより薄膜と張り合わせた弾性材料、及び弾性材料に添加された定形用のシリカゲルを含有する。当該印刷品は、フルカラー印刷で、解像度が高い、立体表面を全体的にカバーでき、立体感が良く緻密であり、顔料も保護され、耐摩耗性で、色落ちしにくく、高い弾力性を有する。【選択図】  図１
2016501739.tif 000002
【特許請求の範囲】
【請求項１】
S1：印刷する画像の立体模型を作製するステップ、
S2：貼ってはがせる糊により、薄膜をフィルムに張り合わせるステップ、
S3：コダック式印刷により、前記画像の立体模型を前記薄膜の内側表面に印刷するステップ、
S4：水性のりを用いて、弾性材料と前記薄膜を張り合わせるステップ、
S5：印刷後の薄膜を、真空成形機を用いて、立体形状にするステップ、
S6：前記弾性材料に定形用のシリカゲルを添加するステップ、
を含むことを特徴とする印刷方法。
【請求項２】
上記ステップS1は、
S11：印刷する表面画像を特定するステップ、
S12：当該表面画像に基づき立体模型を作るステップ、
S13：前記表面画像及び前記立体画像を合成してモジュールを作製するステップ、
含むことを特徴とする請求項1に記載の印刷方法。
【請求項３】
前記薄膜がエチレン酢酸ビニルコポリマー（EVA）薄膜である請求項1に記載の印刷方法。
【請求項４】
前記EVA薄膜の厚さが0.1mmである請求項3に記載の印刷方法。
【請求項５】
前記弾性材料が弾性布である請求項1に記載の印刷方法。
【請求項６】
請求項１に記載の印刷方法により製造される印刷品であって、内側表面に画像の立体模型が印刷された薄膜、水性のりにより薄膜と張り合わせた弾性材料、及び弾性材料に添加された定形用のシリカゲルを含有することを特徴とする印刷品。
【請求項７】
前記薄膜がEVA薄膜である請求項6に記載の印刷品。
【請求項８】
前記EVA薄膜の厚さが0.1mmである請求項7に記載の印刷品。
【請求項９】
前記弾性材料が弾性布である請求項6に記載の印刷品。
【発明の詳細な説明】
【技術分野】
【０００１】
本発明は印刷技術分野に関し、具体的には、立体フルカラー印刷方法及びこの印刷方法により製造された印刷品に関する。
【背景技術】
【０００２】
現在、立体カラー模型（玩具、立体彫刻されたコップなど）を制作する際に、先に立体模型を作るのが必要で、それからこれに着色し、具体的な着色方法としては活字印刷、水転写、熱転写、インクジェット及び手描きなどがある。先に模型を作り、それから着色するので、色落ちしやすく、使用中に色彩が摩耗する事などが起こりやすい。
【０００３】
このうち、上記の着色方法には、それぞれ下記の欠点が存在している。水転写/熱転写印刷は、人工的な手動操作なので、位置が十分に正確ではい；活字印刷は、カバー面積に限界があり、かつ毎回単色である；インクジェットは速度に限界があり、質感が模型の高さにより低下していく；真空成形およびソフトPVCは成形と着色を同時に完成させ製品を作るが、色の真空吸引の立体厚みに限界があり（材料も比較的厚く比較的硬い印刷フィルムに限られる）、ソフトPVCは色ブロックしか使う事ができず、グラデーションをかけることができない。
【発明の概要】
【０００４】
本発明が解決する技術問題とは、先行技術における立体模型の人工的な手動操作、色の制限、摩耗しやすく色落ちしやすいなどの欠点に基いて、立体フルカラー印刷方法及びこの印刷方法により製造された印刷品を提供する。
本発明が従来の問題を解決するために、
S1：画像を印刷するための画像の立体模型を作製するステップ、
S2：貼ってはがせる糊により、厚さ0.1mm、エチレン酢酸ビニルコポリマー（EVA）薄膜である薄膜をフィルムに張り合わせるステップ、
【０００５】
S3：孔版印刷またはインクジェットであるコダック式印刷により、前記画像の立体模型を前記薄膜の内側表面（フィルムに付ける反対側）に印刷するステップ、
S4：水性のりを用いて、弾性布である弾性材料と前記薄膜を張り合わせるステップ、
S5：印刷後の前記薄膜を、真空成形機を用いて、立体形状にするステップ、
S6：前記弾性材料に定形用のシリカゲルを添加するステップ、
を含む印刷方法を提供する。
上記ステップS1は、下記
S11：印刷する表面画像を特定するステップ、
S12：当該表面画像に基づき立体模型を作るステップ、
S13：前記表面画像及び前記立体画像を合成してモジュールを作製するステップ、
を含むことが好ましい。
【０００６】
また、本発明は、内側方面に画像の立体模型が印刷された薄膜、水性のりにより薄膜と張り合わせた弾性材料、及び弾性材料に添加された定形用のシリカゲルを含む、上記の印刷方法により製造された印刷品を提供する。
上記薄膜は、厚さ0.1mmのEVA薄膜が好ましい。
上記弾性材料は、弾性布が好ましい。
【０００７】
本発明を実施する印刷方法および印刷品は、フルカラー印刷で、解像度（300dpi）が高い、立体表面を全体的にカバーでき（180度で計測）、立体感が良く緻密であり、顔料も保護され、耐摩耗性で、色落ちしにくい効果がある。シリカゲルの厚さおよび成分により印刷品の硬軟度および弾力性を調節でき、高い弾力性に富ませることができる。
【図面の簡単な説明】
【０００８】
本発明実施例における技術方案をより明晰的に説明するために、以下は実施例の記載に必要な図面を簡単に説明し、以下の図面について、単なる本発明の具体的な実施例であり、当業者としては、これらの図面に基いてほかの実施可能な図面を簡単に獲得できることが自明である。
【図１】本発明に係る印刷方法の実施例を示すフローチャートである。
【図２Ａ】本発明に係る印刷方法の実施例における表面画像を示す図である。
【図２Ｂ】図2Aに示される表面画像に対する三次元模型を示す図である。
【図２Ｃ】図2Aと図２Bを合成してからなる立体模型を示す図である。
【図３】本発明に係る印刷方法の実施例における印刷品を示す分解図である。
【図４】本発明に係る印刷方法の実施例における印刷品を示す断面図である。
【発明を実施するための形態】
【０００９】
本発明の目的・技術方案及び効果をより明らかにするために、以下、図面を参考しながら、各実施例を説明し、これらの図面が実施例の一部分を構成して、本発明に係る実施可能な実施例を説明している。特許請求の範囲の記載を逸脱せず、当業者が容易に想到できる範囲で、本願に記載の実施例に対して構造又は機能上に種々の変形態様もこの発明に含まれる。
本発明に係る印刷方法の実施例において、図1に示すように、下記
S1：パソコンで画像処理ソフトにより印刷する画像の立体模型を作製し、パソコンで画像を調整してからプリントアウトするステップ、
当該ステップS1について、
S11：表面画像を確定し（図2A）、生産予定の商品の表面画像を選定するステップ、
S12：パソコンのソフトにより、選定された表面画像に基いて立体模型を作るステップ（図2B）、
S13：前記立体模型に基いて画像の立体模型を合成するステップ（図2C）
3つのステップを含む。
【００１０】
S13ステップには、コンピューターソフトを用いて擬似の立体模型が画像の立体模型に引き伸ばされる。例えば、立体模型に対して3D  Studio MAXソフトを用いて、変更する部位によってマッピング座標を使用して正しいマッピング座標操作を行い、部位によって一つずつ模型を表面に展開し、更に表面図に基いて画像処理ソフト（例えば、PHOTOSHOPなど）によりテクスチャとマッピング座標で処理する。
【００１１】
S2：貼ってはがせる糊により、薄膜をフィルムに張り合わせるステップ、前記薄膜が熱収縮性薄膜であり、エチレン酢酸ビニルコポリマー（EVA）薄膜が好ましく、その厚さが0.1〜0.5mm、0.1mmが好ましい、前記薄膜がPU（Polyurethane、ポリウレタン）又はソフトPVC（ソフト  ポリ塩化ビニル）でもよく、その厚さが0.1〜0.5mm。また、フィルムは、印刷機で薄膜を順調に印刷するため、フィルムを使って、薄膜の硬さを強化する。
【００１２】
S3：コダック式印刷により前記画像の立体模型を前記薄膜の内側表面に印刷するステップ、孔版印刷またはインクジェットはどちらでもよく、カラー画像も可能であるため、薄膜に着色させることは、当該ステップにも含まれる。
S4：水性のりを用いて、弾性材料と前記薄膜を張り合わせるステップ、前記弾性材料としては、弾性布が好ましい。
S5：印刷後の前記薄膜を、真空成形機を用いて、立体形状にするステップ、
【００１３】
S6：前記弾性材料に定形用のシリカゲルを添加するステップ、弾性を満たすために、シリカゲルの厚さが1mm〜1cmの範囲で選択可能で、また、その材料によりシリカゲルの硬さを調整できる。
以上のステップが完了して後、フィルムを外し、最終的に立体印刷品は形成され、更に様々な製品が作れる。
【００１４】
一方、コダック式印刷（即ち、オフセット印刷）は、平版印刷の一種であり、簡単に言えばオフセット印刷とはインクシート（ゴム布）により、印刷原版上の図や文を印刷物の上に伝達する印刷方式で、中国の南方で当該印刷方法をコダック式印刷と呼んでいる。
【００１５】
本発明に係る印刷品は、フルカラー印刷で、解像度（300dpi）が高い、立体表面を全体的にカバーでき（180度で計測）、立体感が良く緻密であり、また印刷の速度も速い。
【００１６】
図3、4が示すように、本発明は、前記の印刷方法により製造され、内側表面に画像の立体模型が印刷された薄膜3、水性のり5により薄膜3と張り合わせた弾性材料6、及び弾性材料6に添加された定形用のシリカゲル7を含有する印刷品を提供する。順調に印刷するため、最初から薄膜3の外側に、貼ってはがせる糊2により、フィルムを張り合わせて、当該フィルムは1、印刷完了後に外され、また、当該フィルム1を外せずに当該印刷品の一部分として残っても良い。
薄膜3は、熱収縮性透明な材料で製造され、EVA薄膜であるのが好ましく、その厚さが0.1mmである。弾性材料6は弾性布である。
【００１７】
本発明に係る印刷品は、顔料が薄膜3の内側表面に塗って、顔料層4は保護されているため、耐摩耗性で、色落ちしにくい。シリカゲル7の厚さおよび成分により印刷品の硬軟度および弾力性を調節でき、例えば、シリカゲル7を添加し、木偶玩具などのソフト生産品を生産でき、また、レジャーバックパックなどの中空の生産品もでき、又は貯金箱などの装飾品も作られる。
【００１８】
以上の説明は本発明に係る比較的に良好な実施例であり、本発明の様々な改良及び変更が、本発明の範囲及び原理から逸脱することなく実施できることは、当業者には明らかであり、本発明は、上記の例示的な実施態様に不当に制限されるものではないことは理解されるはずである。
【符号の説明】
【００１９】
1  フィルム
2  貼ってはがせる糊
3  薄膜
4  顔料層
5  水性のり
6  弾性材料
7  シリカゲル
【図１】
2016501739.tif 000003
【図２Ａ】
2016501739.tif 000004
【図２Ｂ】
2016501739.tif 000005
【図２Ｃ】
2016501739.tif 000006
【図３】
2016501739.tif 000007
【図４】
2016501739.tif 000008
【国際調査報告】
2016501739.tif 000009
2016501739.tif 000010